(57)【要約】【課題】  消化管の病変を切除する際に、短時間で容易に手技を行うことができると共に、術者の技量に左右されることなく安全な手技を行うこと。【解決手段】  粘膜下層を局所的に剥離して、消化管の病変部を切除するものであって、粘膜下層内に挿入される可撓性の処置具本体１０と、該処置具本体１０の基端側から先端側に亘って形成された第１の管路と、処置具本体１０の先端側に設けられ、第１の管路を介して流体の供給を受けたときに膨張する膨張部１２と、先端側が固定された状態で第１の管路内に挿通されるワイヤと、該ワイヤの基端側に固定され、処置具本体１０に対してワイヤを押し引き操作する操作部１４とを備え、操作部１４を押し引き操作したときに、少なくとも処置具本体１０の先端部を所定方向に湾曲する粘膜下層剥離処置具５及び該粘膜下層剥離処置具５を有する粘膜下層剥離処置具システムを提供する。【選択図】  図２
2006333996.tif 000002
【特許請求の範囲】
【請求項１】
粘膜下層を局所的に剥離して、消化管の病変部を切除する粘膜下層剥離処置具であって、
前記粘膜下層内に挿入される可撓性の処置具本体と、
該処置具本体の基端側から先端側に亘って形成された第１の管路及び第２の管路と、
前記処置具本体の先端側に設けられ、前記第１の管路を介して流体の供給を受けたときに膨張する膨張部と、
先端側が固定された状態で前記第２の管路内に挿通されるワイヤと、
該ワイヤの基端側に固定され、前記処置具本体に対してワイヤを押し引き操作する操作部とを備え、
前記操作部を押し引き操作したときに、少なくとも前記処置具本体の先端部が所定方向に湾曲することを特徴とする粘膜下層剥離処置具。
【請求項２】
粘膜下層を局所的に剥離して、消化管の病変部を切除する粘膜下層剥離処置具であって、
前記粘膜下層内に挿入される可撓性の処置具本体と、
該処置具本体の基端側から先端側に亘って形成された第１の管路と、
前記処置具本体の先端側に設けられ、前記第１の管路を介して流体の供給を受けたときに膨張する膨張部と、
先端側が固定された状態で前記第１の管路内に挿通されるワイヤと、
該ワイヤの基端側に固定され、前記処置具本体に対してワイヤを押し引き操作する操作部とを備え、
前記操作部を押し引き操作したときに、少なくとも前記処置具本体の先端部が所定方向に湾曲することを特徴とする粘膜下層剥離処置具。
【請求項３】
請求項１又は２に記載の粘膜下層剥離処置具において、
前記処置具本体の先端側には、他の部分よりも柔軟性を有する柔軟部が設けられていることを特徴とする粘膜下層剥離処置具。
【請求項４】
請求項１から３のいずれか１項に記載の粘膜下層剥離処置具において、
前記処置具本体の少なくとも先端側に、予め決められた一定方向に湾曲する断面特性を有する湾曲補助部材を備え、該一定方向と前記湾曲方向とが同一の方向とされていることを特徴とする粘膜下層剥離処置具。
【請求項５】
請求項１から３のいずれか１項に記載の粘膜下層剥離処置具において、
前記操作部が、回転操作可能とされ、
前記操作部からの回転力を前記ワイヤに伝達する回転伝達部を備え、
前記操作部を回転操作したときに、少なくとも前記処置具本体の先端部が該処置具本体の軸芯回りに回転することを特徴とする粘膜下層剥離処置具。
【請求項６】
請求項１から５のいずれか１項に記載の粘膜下層剥離処置具において、
高周波切開具が内部に挿通される挿通路が、前記第１の管路に沿うように前記処置具本体の基端側から先端側に亘って形成されていることを特徴とする粘膜下層剥離処置具。
【請求項７】
請求項１から６のいずれか１項に記載の粘膜下層剥離処置具において、
前記膨張部よりも基端側の前記処置具本体に、前記粘膜下層への挿入量を示す指標部が設けられていることを特徴とする粘膜下層剥離処置具。
【請求項８】
第１のチャンネルが設けられた挿入部を有する内視鏡と、
前記第１のチャンネルに挿通される請求項１から７のいずれか１項に記載の粘膜下層剥離処置具とを備えていることを特徴とする粘膜下層剥離処置具システム。
【請求項９】
請求項８に記載の粘膜下層剥離処置具システムにおいて、
前記第１のチャンネルに沿って前記挿入部に設けられた第２のチャンネルと、
該第２のチャンネルに挿通され、前記粘膜下層に液体を注入する粘膜下局注針とを備えていることを特徴とする粘膜下層剥離処置具システム。
【請求項１０】
請求項８に記載の粘膜下層剥離処置具システムにおいて、
前記第１のチャンネルに沿って前記挿入部に設けられた第２のチャンネルと、
該第２のチャンネルに挿通され、前記病変部を把持する把持鉗子とを備えていることを特徴とする粘膜下層剥離処置具システム。
【発明の詳細な説明】
【技術分野】
【０００１】
本発明は、消化管の病変部を切除するための粘膜下層剥離処置具及び粘膜下層剥離処置具システムに関するものである。
【背景技術】
【０００２】
消化管病変の一般的治療法として、内視鏡を利用して病変部を切除する内視鏡的粘膜切除術（ＥＭＲ：Endoscopic Mucosal Resection）が従来より知られている。
その中でも「切開・剥離法」として、高周波メス等の高周波切開具を用いて病変部の外側の正常粘膜を全周切開し、その後、粘膜下層を剥離して切除する方法が紹介されている（例えば、非特許文献１参照。）。
なお、このような高周波メスの他の形態として、別の治療に使用するものが提案されている（例えば、特許文献１参照。）。
【非特許文献１】小野裕之、他３名、「早期癌に対するＩＴナイフを用いたＥＭＲのコツ」、消化器内視鏡、消化器内視鏡編集委員会、株式会社東京医学社、２００２年１１月、第１４巻、第１１号、ｐ１７３７−１７４０
【特許文献１】米国特許第２００１／００４９４９７Ａ１号明細書
【発明の開示】
【発明が解決しようとする課題】
【０００３】
しかしながら、上記従来の処置具では以下の課題が残されていた。
即ち、従来の処置具による「切開・剥離法」により切開・剥離を行う際、粘膜下層には多数の血管が走行しているため、これらの血管近傍では高周波メスに高周波を供給する高周波焼灼電源装置の出力設定を随時変えて行う等の特別な配慮が必要となり、手技時間が長くなってしまうという問題があった。
また、高周波メスによる切開・剥離は、切開対象部分への高周波エネルギーによる熱損傷を防止しながら、適度な切れ味を実現させるため、ナイフの当てる強さ、角度、ナイフを移動するスピード等を適切にコントロールする必要があり、手技が難しいという問題があった。
【０００４】
また、高周波メスにより膨隆された病変部を切開する際、どうしても消化管の表面（病変部周囲の膨隆されていない部分の表面）に対して、ある程度の角度がついた状態で高周波メスが接触してしまうものであった。つまり、限られた消化管内のスペースでは、消化管の表面に平行に高周波ナイフを動かして、膨隆された病変部の周囲を切開することは不可能なことであった。そのため、高周波ナイフを粘膜下層に切り込んだ際に、粘膜下層の下にある固有筋層（局注を行っても膨隆しない層）等に高周波ナイフの先端が挿入しないように、高周波ナイフの先端を所定位置（所定深さ）に位置させる必要があり、高度な手技技術や集中力が求められ、術者に与える負担が大きなものであった。
【０００５】
この発明は、上記従来技術の問題点に鑑みてなされたものであり、その目的は、消化管の病変を切除する際に、短時間で容易に手技を行うことができると共に、術者の技量に左右されることなく安全な手技を行うことができる粘膜下層剥離処置具及び粘膜下層剥離処置具システムを提供することである。
【課題を解決するための手段】
【０００６】
上記の目的を達成するために、この発明は以下の手段を提供している。
請求項１に係る発明は、粘膜下層を局所的に剥離して、消化管の病変部を切除する粘膜下層剥離処置具であって、前記粘膜下層内に挿入される可撓性の処置具本体と、該処置具本体の基端側から先端側に亘って形成された第１の管路及び第２の管路と、前記処置具本体の先端側に設けられ、前記第１の管路を介して流体の供給を受けたときに膨張する膨張部と、先端側が固定された状態で前記第２の管路内に挿通されるワイヤと、該ワイヤの基端側に固定され、前記処置具本体に対してワイヤを押し引き操作する操作部とを備え、前記操作部を押し引き操作したときに、少なくとも前記処置具本体の先端部が所定方向に湾曲する粘膜下層剥離処置具を提供する。
【０００７】
この発明に係る粘膜下層剥離処置具においては、予め粘膜下局注等により膨隆した病変部に対して処置具本体の先端を近接させた状態で、操作部により第２の管路内に挿通されたワイヤを押し引き操作することで、処置具本体の先端部を所定方向に向けて任意の角度に湾曲させることができる。即ち、処置具本体に対して先端側が固定されたワイヤが押し引き操作されることで、可撓性の処置具本体にワイヤを介して圧縮力又は引張力が伝わり、処置具本体が所定方向（例えば、上下方向や左右方向）に撓んで湾曲する。これにより、限られた消化管内のスペースであっても、消化管の表面に平行となるように処置具本体の先端側の湾曲具合を調整することができる。
【０００８】
そして、処置具本体の先端側を消化管の表面に平行な方向に動かして先端を膨隆した病変部の粘膜下層内に挿入する。挿入後、第１の管路を介して、流体供給源等から膨張部に流体を供給して、膨張部を粘膜下層内で膨張させる。これにより、容易に粘膜下層を剥離することができる。また、異なる部位に膨張部を挿入した後、上述したように膨張部を膨張させることで、次々と広い範囲の粘膜下層を容易に剥離することができる。
【０００９】
このように、従来の高周波メスを多用しなくても、粘膜下層を剥離することができ、手技を容易にして手技時間の短縮を図ることができる。また、この際、病変部に仮に出血があったとしても、膨張部を膨張することで出血部分を圧迫することができ、出血部分の迅速な止血が行え、病変部の粘膜下層に伴う偶発病を未然に防ぐことができる。
特に、膨張部が設けられた処置具本体の先端部を湾曲させることで、該先端部を消化管の表面に平行に動かして粘膜下層内に挿入できるので、従来のように粘膜下層の下にある固有筋層等に処置具本体の先端側が挿入してしまう可能性がない。よって、処置具本体の先端の挿入深さに極端な注意を払う必要がない。従って、術者の技量に左右されることなく安全な手技を行うことができ、術者に与える負担を極力低減することができる。
【００１０】
請求項２に係る発明は、粘膜下層を局所的に剥離して、消化管の病変部を切除する粘膜下層剥離処置具であって、前記粘膜下層内に挿入される可撓性の処置具本体と、該処置具本体の基端側から先端側に亘って形成された第１の管路と、前記処置具本体の先端側に設けられ、前記第１の管路を介して流体の供給を受けたときに膨張する膨張部と、先端側が固定された状態で前記第１の管路内に挿通されるワイヤと、該ワイヤの基端側に固定され、前記処置具本体に対してワイヤを押し引き操作する操作部とを備え、前記操作部を押し引き操作したときに、少なくとも前記処置具本体の先端部が所定方向に湾曲する粘膜下層剥離処置具を提供する。
【００１１】
この発明に係る粘膜下層剥離処置具においては、予め粘膜下局注等により膨隆した病変部に対して処置具本体の先端を近接させた状態で、操作部により第１の管路内に挿通されたワイヤを押し引き操作することで、膨張部が設けられた処置具本体の先端部を所定方向に向けて任意の角度に湾曲させることができる。即ち、処置具本体に対して先端側が固定されたワイヤが押し引き操作されることで、可撓性の処置具本体にワイヤを介して圧縮力又は引張力が伝わり、処置具本体が所定方向（例えば、上下方向や左右方向）に撓んで湾曲する。これにより、限られた消化管内のスペースであっても、消化管の表面に平行となるように処置具本体の先端側の湾曲具合を調整することができる。
【００１２】
そして、処置具本体の先端側を消化管の表面に平行な方向に動かして先端を膨隆した病変部の粘膜下層内に挿入する。挿入後、第１の管路を介して、流体供給源等から膨張部に流体を供給して、膨張部を粘膜下層内で膨張させる。これにより、容易に粘膜下層を剥離することができる。また、異なる部位に膨張部を挿入した後、上述したように膨張部を膨張させることで、次々と広い範囲の粘膜下層を容易に剥離することができる。
【００１３】
このように、従来の高周波メスを多用しなくても、粘膜下層を剥離することができ、手技を容易にして手技時間の短縮を図ることができる。また、この際、病変部に仮に出血があったとしても、膨張部を膨張することで出血部分を圧迫することができ、出血部分の迅速な止血が行え、病変部の粘膜下層に伴う偶発病を未然に防ぐことができる。
特に、処置具本体の先端部を湾曲させることで、該先端部を消化管の表面に平行に動かして粘膜下層内に挿入できるので、従来のように粘膜下層の下にある固有筋層等に処置具本体の先端側が挿入してしまう可能性がない。よって、処置具本体の先端の挿入深さに極端な注意を払う必要がない。従って、術者の技量に左右されることなく安全な手技を行うことができ、術者に与える負担を極力低減することができる。
更に、第１の管路を、膨張部に流体を供給する管路とワイヤが挿通される管路との共通の管路として利用できるので、処置具本体の細径化を図ることができる。
【００１４】
請求項３に係る発明は、請求項１又は２に記載の粘膜下層剥離処置具において、前記処置具本体の先端側には、他の部分よりも柔軟性を有する柔軟部を備えている粘膜下層剥離処置具を提供する。
【００１５】
この発明に係る粘膜下層剥離処置具においては、処置具本体の先端側に柔軟部が設けられているので、操作部を押し引き操作したときに、処置具本体をより積極的に膨張部が設けられている先端側で湾曲させることができる。これにより、内視鏡先端からの突出量が僅かであっても、湾曲を確実に行うことができ、消化管内の手技スペースが狭い場合であっても、確実に手技を行うことができる。
【００１６】
請求項４に係る発明は、請求項１から３のいずれか１項に記載の粘膜下層剥離処置具において、前記処置具本体の少なくとも先端側に、予め決められた一定方向に湾曲する断面特性を有する湾曲補助部材を備え、該一定方向と前記湾曲方向とが同一の方向とされている粘膜下層剥離処置具を提供する。
【００１７】
この発明に係る粘膜下層剥離処置具においては、処置具本体の少なくとも先端側に湾曲補助部材を備えているので、例えば、内視鏡のチャンネル内を挿通させたときに、内視鏡の湾曲具合（湾曲方向）に湾曲補助部材の向きが自動的にならうように、チャンネル内を挿通される。そして、最終的に内視鏡先端側の湾曲方向に湾曲補助部材がならった状態で外部に突出する。即ち、内視鏡先端側の湾曲方向と湾曲補助部材の予め決められた一定方向とが一致する。つまり、粘膜下層剥離処置具は、内視鏡先端から突出した時点で、内視鏡の湾曲方向と自身の湾曲方向とが自動的に一致する。
これにより、術者は、湾曲方向を調整することなく、速やかに内視鏡の湾曲方向と同一の方向に向けて処置具本体の先端部を湾曲操作することができる。よって、湾曲方向を調整する手間が省け、粘膜下層の剥離にかける手技時間をより短縮することができる。
【００１８】
請求項５に係る発明は、請求項１から３のいずれか１項に記載の粘膜下層剥離処置具において、前記操作部が、回転操作可能とされ、前記操作部からの回転力を前記ワイヤに伝達する回転伝達部を備え、前記操作部を回転操作したときに、少なくとも前記処置具本体の先端部が該処置具本体の軸芯回りに回転する粘膜下層剥離処置具を提供する。
【００１９】
この発明に係る粘膜下層剥離処置具においては、湾曲操作を行う際に、操作部を回転操作することで、回転伝達部を介して回転力（回転トルク）をワイヤに伝達して少なくとも処置具本体の先端部を軸芯回りに回転させることができる。よって、湾曲方向をより高精度に制御でき、正確な手技を行うことができる。
【００２０】
請求項６に係る発明は、請求項１から５のいずれか１項に記載の粘膜下層剥離処置具において、高周波切開具が内部に挿通される挿通路が、前記第１の管路に沿うように前記処置具本体の基端側から先端側に亘って形成されている粘膜下層剥離処置具を提供する。
【００２１】
この発明に係る粘膜下層剥離処置具においては、挿通路に予め高周波切開具を挿通できるので、処置具の入れ替えを行わなくても、必要時（例えば、処置具本体を粘膜下層内に挿入するために、病変部近傍の粘膜に挿入孔となる孔を開ける等）に速やかに高周波切開具を使用することができる。よって、手技時間の短縮を図ることができると共に、より多角的な手技を行うことができる。
【００２２】
請求項７に係る発明は、請求項１から６のいずれか１項に記載の粘膜下層剥離処置具において、前記膨張部よりも基端側の前記処置具本体に、前記粘膜下層への挿入量を示す指標部が設けられている粘膜下層剥離処置具を提供する。
【００２３】
この発明に係る粘膜下層剥離処置具においては、指標部を確認することで、粘膜下層内に挿入された膨張部の位置を正確に把握することができ、粘膜下層の所望部分をより正確に剥離することができる。
【００２４】
請求項８に係る発明は、第１のチャンネルが設けられた挿入部を有する内視鏡と、前記第１のチャンネルに挿通される請求項１から７のいずれか１項に記載の粘膜下層剥離処置具とを備えている粘膜下層剥離処置具システムを提供する。
【００２５】
この発明に係る粘膜下層剥離処置具システムにおいては、第１チャンネルに、本発明の粘膜下層剥離処置具を挿通できるので、確実に内視鏡を介して消化管内の病変部に粘膜下層剥離処置具を導いて粘膜下層を剥離することができ、手技を容易にして手技時間の短縮を図ることができる。また、術者の技量に左右されることなく安全な手技を行うことができ、術者に与える負担を極力低減することができる。  
【００２６】
請求項９に係る発明は、請求項８に記載の粘膜下層剥離処置具システムにおいて、前記第１のチャンネルに沿って前記挿入部に設けられた第２のチャンネルと、該第２のチャンネルに挿通され、前記粘膜下層に液体を注入する粘膜下局注針とを備えている粘膜下層剥離処置具システムを提供する。
【００２７】
この発明に係る粘膜下層剥離処置具システムにおいては、粘膜下層剥離処置具と同時に、第２チャンネルを介して粘膜下局注針を消化管内に挿入できるので、粘膜下層に液体を注入して病変部の膨隆を行った後に、処置具の入れ替えを行うことなく速やかに剥離処置に移行することができる。よって、病変部の膨隆から粘膜下層の剥離にかける時間を短縮することができる。
【００２８】
請求項１０に係る発明は、請求項８に記載の粘膜下層剥離処置具システムにおいて、前記第１のチャンネルに沿って前記挿入部に設けられた第２のチャンネルと、該第２のチャンネルに挿通され、前記病変部を把持する把持鉗子とを備えている粘膜下層剥離処置具システムを提供する。
【００２９】
この発明に係る粘膜下層剥離処置具システムにおいては、粘膜下層剥離処置具と同時に、第２チャンネルを介して把持鉗子を消化管内に挿入できるので、病変部を把持した状態で粘膜剥離を行える。よって、既に剥離した病変部の影響を受けることなく、正確に膨張部を粘膜下層内に挿入したり、病変部が逃げないようにしっかりと把持した状態で確実に粘膜下層の剥離を行ったりすることができる。よって、より正確な手技を行うことができる。
【発明の効果】
【００３０】
本発明に係る粘膜下層剥離処置具によれば、従来の高周波メスを多用しなくても、粘膜下層を剥離することができ、手技を容易にして手技時間の短縮を図ることができる。また、術者の技量に左右されることなく安全な手技を行うことができ、術者に与える負担を極力低減することができる。
【００３１】
また、本発明に係る粘膜下層剥離処置具システムによれば、確実に内視鏡を介して消化管内の病変部に粘膜下層剥離処置具を導いて粘膜下層を剥離することができる。
【発明を実施するための最良の形態】
【００３２】
以下、本発明に係る粘膜下層剥離処置具及び粘膜下層剥離処置具システムの第１実施形態について、図１から図２３を参照して参照して説明する。
本実施形態の粘膜下層剥離処置具システム１は、図１に示すように、処置具チャンネル（第１のチャンネル）２が設けられた挿入部３を有する内視鏡４と、処置具チャンネル２にそれぞれ別々に挿通される剥離バルーン（粘膜下層剥離処置具）５及び粘膜下局注針６とを備えている。
【００３３】
上記剥離バルーン５は、粘膜下層Ｗを局所的に剥離して、消化管の病変部Ｘを切除するものであって、図２から図７に示すように、粘膜下層Ｗ内に挿入される可撓性の処置具本体１０と、処置具本体１０の基端側から先端側に亘って形成された管路（第１の管路）１１と、処置具本体１０の先端側に設けられ、管路１１を介して気体又は液体等の流体の供給を受けたときに膨張するバルーン（膨張部）１２と、先端側が固定された状態で管路１１内に挿通される操作ワイヤ（ワイヤ）１３と、該操作ワイヤ１３の基端側に固定され、処置具本体１０に対して操作ワイヤ１３を押し引き操作する操作部１４と、処置具本体１０の少なくとも先端側に設けられ、予め決められた一定方向に湾曲する断面特性を有する板部材（湾曲補助部材）１５と、上記管路１１に沿うように処置具本体１０の基端側から先端側に亘って形成され、内部を高周波メス（高周波切開具）１６が挿通する挿通路１７とを備え、操作部１４を押し引き操作したときに少なくとも処置具本体１０の先端部を所定方向に湾曲できるものである。
【００３４】
上記処置具本体１０は、図２に示すように、処置具チャンネル２内に挿通され、軸芯Ｌに沿って伸びる長尺な管状体となっており、その基端側に接続部１０ａが設けられ、該接続部１０ａに上記操作部１４の操作部本体２０と、高周波メス１６の操作管２１とが二股に分かれるように接続されている。
また、処置具本体１０の最先端部１０ｂは、図４及び図５に示すように、最先端に向かって漸次外径が縮径するテーパ状に形成されている。この最先端部１０ｂの基端側に、上記バルーン１２が処置具本体１０の外周を覆うように設けられている。また、バルーン１２で覆われた処置具本体１０の一部分には、管路１１とバルーン１２とを連通する連通孔２２が軸芯Ｌに沿って複数形成されている。また、管路１１の先端には、該管路１１を封止する封止部２３が設けられており、管路１１内に供給された流体が管路１１の先端から外部に漏れることなく複数の連通孔２２を介してバルーン１２内に供給されるようになっている。
【００３５】
また、封止部２３には、管路１１内に挿通された操作ワイヤ１３の先端側を固定する操作ワイヤ固定部２４が取り付けられている。なお、この管路１１は、図３に示すように、軸芯Ｌからずれた位置（若干距離が離れた位置）に形成されている。
上記操作部１４は、図２に示すように、操作部本体２０と、該操作部本体２０に対して進退（スライド）可能なスライド部２５とを備えている。そして、上記管路１１は、接続部１０ａを通って操作部本体２０の基端側まで形成されている。また、操作ワイヤ１３の基端側は、スライド部２５に接続されている。そして、操作部１４を押し引き操作、即ち、スライド部２５を進退操作したときに、バルーン１２全体を含む処置具本体１０の先端部が湾曲するようになっている。これについては、後に詳細に説明する。
【００３６】
また、操作部本体２０の基端側には、親指を挿入できる指掛けリング２０ａが取り付けられており、スライド部２５には、人指し指及び中指を挿入できる２つの指掛け孔２５ａが形成されている。これにより、術者は片手で操作部１４を操作して処置具本体１０の湾曲操作を容易に行えるようになっている。
また、操作部本体２０の接続部１０ａ近傍には、管路１１に接続され、バルーン１２を膨張させる流体を供給する流体供給源であるシリンジＳが接続される注入口２６が設けられている。
【００３７】
また、図４に示すように、処置具本体１０の先端側の一部には、上述したように複数の連通孔２２が形成されているので、他の部分よりも柔軟性を有している。即ち、操作部１４を押し引き操作したときに、複数の連通孔２２が形成された領域を中心に、より湾曲し易いようになっている。つまり、これら連通孔２２は、処置具本体１０を積極的に湾曲し易くする柔軟部として機能する。この複数の連通孔２２が形成されているので、上述したように、処置具本体１０の先端部がバルーン１２の全体に亘って湾曲するようになっている。
つまり、図６（ａ）に示すように、スライド部２５を操作部本体２０の基端側に引張り操作したときに、複数の連通孔２２側（ＵＰ方向）に向かってバルーン１２全体を含む処置具本体１０の先端部が湾曲し、図６（ｂ）に示すように、スライド部２５を操作部本体２０の先端側に押し込み操作したときに、複数の連通孔２２側の反対側（ＤＯＷＮ方向）に向かってバルーン１２全体を含む処置具本体１０の先端部が湾曲するようになっている。
【００３８】
上記板部材１５は、図３及び図４に示すように、ステンレス材料により、幅が短い細長状に形成されている。この板部材１５は、厚み方向（一定方向）に予め湾曲する断面特性を有しており、軸芯Ｌを挟んで管路１１の反対側の位置に、厚み方向が軸芯Ｌと操作ワイヤ１３とを結ぶ方向に一致するように設けられている。これにより、板部材１５が湾曲する方向と、操作部１４を押し引き操作したときに湾曲する湾曲方向とが一致するようになっている。
本実施形態では、この板部材１５は処置具本体１０に形成された板部材用管路２７内に先端側から押し込まれており、板部材用管路２７との摩擦力によって該板部材用管路２７内に保持されている。また、板部材用管路２７の先端は、封止部２８によって封止されている。
【００３９】
上記高周波メス１６は、図２及び図５に示すように、絶縁性材料から形成される操作管２１と、該操作管２１内を進退可能に配された針状の高周波ナイフ２９と、操作管２１の基端側に接続されたナイフ操作部３０とを備えている。操作管２１は、上述したように接続部１０ａに接続されると共に、一方側が挿通路１７内に挿通されて処置具本体１０の最先端部１０ｂ近傍まで設けられ、他方側が接続部１０ａの外側に延出している。
ナイフ操作部３０は、操作管２１の他端側に接続されたナイフ操作部本体３１と、高周波ナイフ２９の基端側に接続され、ナイフ操作部本体３１に対して進退可能なナイフスライド部３２とを備えている。また、上述した操作部１４と同様に、ナイフ操作部本体３１の基端側には、親指を挿入できる指掛けリング３１ａが取り付けられていると共に、ナイフスライド部３２には、人指し指及び中指を挿入できる２つの指掛け孔３２ａが形成されている。これにより、操作者は片手でナイフ操作部３０を容易に操作できるようになっている。
更に、ナイフスライド部３２の２つの指掛け孔３２ａの間には、高周波ナイフ２９と電気的に接続された電気接続部３３が設けられており、高周波ナイフ２９に高周波を印加する図示しない高周波電源と電気的に接続できるようになっている。
【００４０】
また、図７に示すように、バルーン１２よりも基端側の処置具本体１０には、粘膜下層Ｗへの挿入量を示す指標部３４が設けられている。この指標部３４は、最先端部１０ｂから１５ｍｍ離間した位置から処置具本体１０の基端側に向かって５ｍｍ間隔で表示するようマーキングされている。
【００４１】
上記粘膜下局注針６は、図８に示すように、外チューブ４０と、該外チューブ４０内で進退可能な内チューブ４１と、該内チューブ４１の先端に取り付けられて中空状に形成された針部４２と、外チューブ４０の基端側に取り付けられた針操作部４３とを備えている。
外チューブ４０の先端は、径方向内方に突出する顎状に形成されており、内チューブ４１の針部４２のみが挿通するようになっている。また、針操作部４３は、外チューブ４０の基端側内周面に取り付けられた針操作部本体４４と、内チューブ４１の基端側に取り付けられ、局注用の液体（局注液）を注入するための口金４５とを備えている。そして、針操作部本体４４に対して口金４５を進退させることによって針部４２を外チューブ４０先端から外方に突出させることができるようになっている。
【００４２】
このように構成された内視鏡処置具システム１及び剥離バルーン５を用いて、消化管にできた病変部Ｘを粘膜下層Ｗから切除する粘膜下層剥離方法について、以下に説明する。
本実施形態の粘膜下層剥離方法は、病変部Ｘ周辺の粘膜下層Ｗを膨隆させる膨隆ステップと、膨隆した病変部Ｘ近傍の粘膜Ｎに挿入孔Ｈを開ける孔開けステップと、挿入孔Ｈに処置具本体１０の最先端部１０ｂのみを挿入する挿入ステップと、少なくとも処置具本体１０の先端部を湾曲させて、該先端部が消化管の表面と平行になるように湾曲角度を調整する調整ステップと、処置具本体１０を消化管の表面に平行な方向に動かして挿入孔Ｈから粘膜下層Ｗ内に押し込むと共に、処置具本体１０の先端位置を粘膜下層Ｗの所定位置に位置合わせする長さ調整ステップと、バルーン１２に流体を供給して膨張させ、粘膜下層Ｗを剥離させる剥離ステップと、挿入孔Ｈの周囲の粘膜Ｎを切開する切開ステップとを備えている。
これら各ステップについて、以下に詳細に説明する。
【００４３】
まず、膨隆ステップを行う。即ち、処置具チャンネル２に、図８に示す粘膜下局注針６を挿入した内視鏡４を消化管内に挿入し、挿入部３の先端を病変部Ｘの近傍に位置させる。この位置で、粘膜下局注針６の外チューブ４０を内視鏡４の挿入部３の先端から突出させると共に、針操作部本体４４に対して口金４５を先端側に移動させて、図８（ａ）に示すように、針部４２を外チューブ４０の先端から突出させる。そして、図９に示すように、針部４２を病変部Ｘ近傍の粘膜Ｎから粘膜下層Ｗ内へ穿刺する。穿刺後、内チューブ４１及び針部４２を介して粘膜下層Ｗ内に局注液を注入して病変部Ｘを膨隆させる。
病変部Ｘの膨隆後、口金４５を基端側に移動して針部４２を内チューブ４１内に没入させると共に、粘膜下局注針６を処置具チャンネル２から抜去する。なお、内視鏡４は動かさず、そのままの位置に維持させておく。      
【００４４】
上記膨隆ステップ後、孔開けステップを行う。即ち、処置具チャンネル２内に図２に示す剥離バルーン５の処置具本体１０を挿入すると共に、挿入部３の先端から処置具本体１０の先端を突出させる。
ここで、処置具本体１０の先端側には、板部材１５が設けられているので、処置具チャンネル２内を移動する際に、処置具本体１０は挿入部３の湾曲角度に自動的にならいながら移動する。そして、挿入部３の先端から突出した時点で、図１０及び図１１に示すように、挿入部３の湾曲方向（上下方向）と板部材１５の厚み方向（α方向）とが一致する。ここで、板部材１５の厚み方向（α方向）は、剥離バルーン５の湾曲方向と一致するように設けられているので、その結果、剥離バルーン５を処置具チャンネル２内に通すだけで、自然に挿入部３の湾曲方向と同じ方向に処置具本体１０の湾曲方向を揃えることができる。つまり、処置具本体１０はβ方向に湾曲し難い状態となっている。
なお、本実施形態では、操作ワイヤ１３及び複数の連通孔２２が形成された側が、挿入部３の上部位置側に位置しているものとして説明する。
【００４５】
剥離バルーン５を突出させた後、ナイフ操作部本体３１に対してナイフスライド部３２を先端側に移動させて、高周波ナイフ２９を操作管２１及び最先端部１０ｂから突出させる。この状態で、電気接続部３３に接続された高周波電源から高周波を印加しながら、図１２に示すように、高周波ナイフ２９を前進させて病変部Ｘ近傍の粘膜Ｎに所定の大きさの挿入孔Ｈを開ける。
挿入孔Ｈを開けた後、高周波の印加を停止すると共に、スライド部２５を基端側に移動させて高周波ナイフ２９を操作管２１内に没入させる。
【００４６】
孔開けステップ後、挿入ステップを行う。即ち、図１３に示すように、挿入孔Ｈ内に処置具本体１０の最先端部１０ｂのみを挿入する。なお、この挿入ステップの段階では、処置具本体１０の先端側は、従来と同じように消化管の表面に対して角度θがついた状態となっている。  
【００４７】
この挿入ステップ後、調整ステップを行う。即ち、操作部本体２０に対してスライド部２５を基端側に移動させて操作ワイヤ１３を引っ張る。この際、操作ワイヤ１３の先端は、操作ワイヤ固定部２４により固定されているので、引張り操作により操作ワイヤ１３に伝達した引張力は、処置具本体１０に伝達する。これにより、操作ワイヤ１３に近い側の処置具本体１０に圧縮力が作用すると共に、軸芯Ｌを挟んだ操作ワイヤ１３の反対側に引張力が作用する。その結果、処置具本体１０は、図１４に示すように、操作ワイヤ１３側、即ち、挿入部３の上方側に向けて撓んで湾曲する。特に、柔軟部となる複数の連通孔２２が形成されているので、この連通孔２２が形成されている領域を中心に湾曲する。よって、バルーン１２の全体に亘って処置具本体１０の先端部が湾曲する。
【００４８】
なお、操作部本体２０に対してスライド部２５を先端側に移動させて操作ワイヤ１３を押し込み操作すると、上述した場合と処置具本体１０に作用する力が逆に働いて、バルーン１２全体を含む処置具本体１０の先端部が挿入部３の下方側に向けて撓んで湾曲する。
【００４９】
上記調整ステップにより、限られた消化管内部のスペースであっても、処置具本体１０の先端側を消化管の表面に平行となるように湾曲具合を調整することができる。特に、板部材１５により、湾曲方向を調整しなくても、内視鏡４の挿入部３の湾曲方向と同一方向に速やかに湾曲操作できるので、操作し易い。
【００５０】
そして、調整ステップ後、長さ調整ステップを行う。即ち、図１５に示すように、処置具本体１０を消化管の表面に平行な方向に動かして挿入孔Ｈから粘膜下層Ｗ内に押し込むと共に、処置具本体１０の先端位置を粘膜下層Ｗの所定位置に位置合わせする。この際、処置具本体１０には、バルーン１２の基端側から指標部３４が５ｍｍ間隔おきにマーキングされているので、位置合わせを高精度に行うことができる。
【００５１】
調整ステップ後、剥離ステップを行う。即ち、シリンジＳを利用して注入口２６から管路１１内に流体を供給する。供給された流体は、管路１１内を通り複数の連通孔２２からバルーン１２内に供給される。これにより、図１６に示すように、バルーン１２を膨張させて、粘膜下層Ｗを膨張時の圧力で剥離することができる。
粘膜下層Ｗの剥離後、一旦注入口２６から流体を放出させてバルーン１２を元の状態に収縮させる。その結果、図１７に示すように、粘膜下層Ｗ内に、粘膜下層Ｗが剥離された空洞部Ｈ１が形成される。
【００５２】
剥離ステップ後、切開ステップを行う。即ち、処置具本体１０を粘膜下層Ｗから挿入孔Ｈの外側まで引き戻し、再度、図１８に示すように、孔開けステップと同様に高周波ナイフ２９を処置具本体１０の最先端部１０ｂから突出させて挿入孔Ｈに挿入する。この状態で高周波ナイフ２９に再度高周波を印加しながら、処置具本体１０の先端を病変部Ｘの周囲に沿って移動させ、図１９に示すように、挿入孔Ｈの周囲の粘膜Ｎを高周波ナイフ２９によって切開する。そして、ある程度の幅を切開後、高周波の印加を停止して、高周波ナイフ２９を操作管２１内に収納する。
【００５３】
次いで、再度の剥離を行うために、長さ調整ステップを繰り返す。即ち、図２０に示すように、挿入孔Ｈから粘膜下層Ｗ内に指標部３４を確認しながら処置具本体１０を再度挿入し、先端を所定位置に位置させる。続いて、剥離ステップを再度繰り返し、図２１に示すように、バルーン１２を膨張させて最初の剥離ステップで剥離されていない粘膜下層Ｗを剥離して次の空洞部Ｈ１を形成する。その後、図２２に示すように再度の切開ステップを行う。
このように、長さ調整ステップ、剥離ステップ及び切開ステップを、病変部Ｘの大きさに応じて適時繰り返すことで、図２３に示すように粘膜下層Ｗを含めて病変部Ｘを消化管から分離して切除することができる。
【００５４】
上述したように、本実施形態の内視鏡処置具システム１及び剥離バルーン５によれば、従来の高周波メス１６を多用しなくても、粘膜下層Ｗの異なる位置にバルーン１２を挿入して、次々と粘膜下層Ｗを剥離でき、広い範囲に亘って粘膜下層Ｗを確実に剥離することができ、手技を容易にして手技時間の短縮を図ることができる。また、この際、病変部Ｘに仮に出血があったとしても、バルーン１２を膨張することで出血部位を圧迫することができ、出血部分の迅速な止血が行え、病変部Ｘの粘膜下層Ｗに伴う偶発病を未然に防ぐことができる。
【００５５】
特に、バルーン１２の全体を含む処置具本体１０の先端部を湾曲させて、該先端部を消化管の表面に平行にすることができると共に、その状態を維持しながらバルーン１２を挿入できるので、従来のように粘膜下層Ｗの下にある固有筋層等に処置具本体１０の先端側が挿入してしまう可能性がない。よって、処置具本体１０の先端の挿入深さに極端な注意を払う必要がない。従って、術者の技量に左右されることなく、安全な手技を行うことができ、術者に与える負担を極力低減することができる。
【００５６】
また、処置具本体１０の先端側には、柔軟部として機能する複数の連通孔２２が形成されているので、処置具本体１０をバルーン１２の部分でより積極的に湾曲させることができる。これにより、内視鏡４の処置具チャンネル２からの突出量が僅かであったとしても、湾曲操作を確実に行うことができ、消化管内の手技スペースが狭い場所であっても、確実な手技を行うことができる。
また、管路１１を、バルーン１２に流体を供給する管路と、操作ワイヤ１３が挿通される管路との共通の管路として利用できるので、処置具本体１０の細径化を図ることができる。更に、連通孔２２が複数形成されているので、柔軟部としての機能は当然のこと、それに加えて流体をバルーン１２に効率良く供給できるので、膨張時間の短縮を図ることができる。
【００５７】
また、剥離バルーン５は、板部材１５により、内視鏡４の挿入部３先端から突出した時点で、内視鏡４の湾曲方向と自身の湾曲方向とが自動的に一致する。これにより、術者は、湾曲方向を調整することなく、速やかに内視鏡４の湾曲方向と同一方向に向けて湾曲操作を行うことができる。よって、湾曲方向を調整する手間が省け、粘膜下層Ｗの剥離にかける手技時間をより短縮することができる。
【００５８】
また、高周波メス１６を挿通する挿通路１７を備えているので、処置具の入れ替えを行わなくても、必要時に速やかに高周波メス１６を使用することができる。よって、このことからも手技時間の短縮化を図ることができると共に、より多角的な手技を行うことができる。
更に、指標部３４がマーキングされているので、粘膜下層Ｗ内に挿入されたバルーン１２の位置を正確に把握することができ、粘膜下層Ｗの所望部分をより正確に剥離することができる。
【００５９】
次に、本発明に係る粘膜下層剥離処置具の第２実施形態を、図２４から図２７を参照して説明する。なお、この第２実施形態においては、第１実施形態における構成要素と同一の部分については、同一の符号を付しその説明を省略する。
第２実施形態と第１実施形態との異なる点は、第１実施形態の剥離バルーン５は、操作部１４を押し引き操作することでバルーン１２を含む処置具本体１０の先端部を湾曲させていたが、第２実施形態の剥離バルーン（粘膜下層剥離処置具）５０は、湾曲操作に加え、操作部１４を回転操作することで、少なくとも処置具本体１０の先端部を該処置具本体１０の軸芯Ｌ回りに回転操作できる点である。
更に、第１実施形態の剥離バルーン５は、内視鏡４の挿入部３の角度に応じて自動的に湾曲方向がならうように板部材１５を備えていたが、第２実施形態の剥離バルーン５０は、板部材１５を備えていない点である。
【００６０】
即ち、本実施形態の剥離バルーン５０は、図２４から図２６に示すように、処置具本体１０に管路１１及び挿通路１７が軸芯Ｌを間に挟んで設けられている。また、操作部本体２０は、接続部１０ａに回転可能に接続されている。これにより、操作部本体２０に進退可能に取り付けられているスライド部２５も同様に回転できるようになっている。また、接続部１０ａ内には、操作部１４からの回転トルク（回転力）を操作ワイヤ１３に伝達する図示しない回転伝達部を備えており、回転操作による回転トルクを確実に操作ワイヤ１３に伝達するようになっている。
なお、本実施形態の操作ワイヤ１３は、トルク伝達性の良いワイヤを用いることが好ましい。
【００６１】
このように構成された剥離バルーン５０を用いて、消化管の内部にできた病変部Ｘを粘膜下層Ｗから切除する粘膜下層剥離方法について、以下に説明する。
本実施形態の粘膜下層剥離方法は、第１実施形態と同様に孔開けステップまで行った後に、挿入孔Ｈの近傍に処置具本体１０の先端を位置させ、少なくとも処置具本体１０の先端部を湾曲させて該先端部が消化管の表面と平行になるように湾曲角度を調整する調整ステップと、該調整ステップ後、処置具本体１０を消化管の表面に平行な方向に動かして挿入孔Ｈから粘膜下層Ｗ内に押し込むと共に、処置具本体１０の先端位置を粘膜下層Ｗの所定位置に位置合わせする長さ調整ステップとを行う方法である。その後、第１実施形態と同様に剥離ステップ及び切開ステップを行う。
更に、上記調整ステップの際に、少なくとも処置具本体１０の先端部を、該処置具本体１０の軸芯Ｌ回りに回転させる回転ステップを行う。これら各工程について以下に詳細に説明する。
【００６２】
まず、第１実施形態と同様に孔開けステップまで実施する。
孔開けステップ後、調整ステップを行う。即ち、図２７に示すように、挿入孔Ｈの近傍に処置具本体１０の先端を位置させた状態で、操作部本体２０に対してスライド部２５を基端側に移動させて操作ワイヤ１３を引っ張り、バルーン１２を含む処置具本体１０の先端部を湾曲させる。また、この湾曲操作と同時に操作部本体２０及びスライド部２５を回転させて、バルーン１２を含む処置具本体１０の先端部を、軸芯Ｌ回りに回転させる。この湾曲操作と回転操作とを組み合わせて操作し、処置具本体１０の先端部が上向きに湾曲して消化管の表面に平行になるように微調整する。
このように、第１実施形態の板部材１５を備えていなくても、回転操作を行えるので湾曲方向の微調整を容易且つ確実に行うことができる。
【００６３】
この調整ステップが終了した後、長さ調整ステップを行う。即ち、処置具本体１０を消化管の表面に平行な方向に動かして挿入孔Ｈから粘膜下層Ｗ内に押し込むと共に、処置具本体１０の先端位置を粘膜下層Ｗの所定位置に位置合わせする。その後、第１実施形態と同様に、病変部Ｘの大きさに応じて剥離ステップと切開ステップとを繰り返すことで、病変部Ｘの切除を行うことができる。
【００６４】
なお、本発明の技術範囲は上記実施の形態に限定されるものではなく、本発明の趣旨を逸脱しない範囲において種々の変更を加えることが可能である。
【００６５】
例えば、上記第１実施形態では、処置具本体１０の最先端部１０ｂだけ挿入孔Ｈに挿入した後に湾曲角度を調整したが、第２実施形態のように、先に湾曲角度を調整した後、処置具本体１０の先端部を粘膜下層Ｗ内に挿入しても構わない。
また、上記各実施形態では、管路１１を、バルーン１２に流体を供給する管路と操作ワイヤ１３を挿通する管路との共通の管路として利用したが、この場合に限らず、それぞれ別々の専用管路を設けても構わない。
【００６６】
また、上記各実施形態は、複数の連通孔２２を柔軟部として機能させたが、連通孔２２を１箇所に形成し、この連通孔２２とは別に柔軟部を設けても構わない。例えば、処置具本体１０の全周に亘って蛇腹状の柔軟部を設けても構わない。
また、操作ワイヤ１３を２本設け、直交する２方向（上下方向、左右方向）に湾曲するように構成しても構わない。
【００６７】
また、上記第１実施形態では、粘膜下層剥離処置具システム１は、処置具チャンネル２を１つ有する内視鏡４により構成したが、この場合に限らず、例えば、図２８に示すように、処置具チャンネル２に加え、該処置具チャンネル２に沿って挿入部３に設けられた処置具チャンネル６１（第２のチャンネル）を有する内視鏡６２と、第１実施形態の剥離バルーン５と、処置具チャンネル６１に挿通され、粘膜下層Ｗに液体を注入する粘膜下局注針６とで粘膜下層剥離処置具システム６０を構成しても構わない。
このように構成された粘膜下層剥離処置具システム６０によれば、剥離バルーン５と粘膜下局注針６とを一緒に消化管内に挿入することができるので、膨隆ステップにて病変部Ｘの膨隆を行った後、処置具の入れ替えをしなくても、速やかに剥離処置に移行することができる。よって、病変部Ｘの膨隆から粘膜下層Ｗの剥離にかける時間を短縮することができる。
【００６８】
また、上述した粘膜下局注針６ではなく、処置具チャンネル６１内に挿通され、病変部Ｘを把持する把持鉗子を備えた粘膜下層剥離処置具システムを構成しても構わない。
この場合には、処置具チャンネル６１を介して剥離バルーン５と一緒に消化管内に把持鉗子を挿入できるので、病変部Ｘを把持した状態で粘膜剥離を行える。よって、既に剥離した病変部Ｘの影響を受けることなく、正確にバルーン１２を粘膜下層Ｗ内に挿入したり、病変部Ｘが逃げないようにしっかりと把持した状態で確実に粘膜下層Ｗの剥離を行ったりすることができる。従って、より正確な手技を行うことができる。
【００６９】
また、本発明は、以下を含むものである。
〔付記項１〕
請求項１から７のいずれか１項に記載の粘膜下層剥離処置具を用いて、粘膜下層を局所的に剥離して消化管の病変部を切除する粘膜下層剥離方法であって、
前記病変部周辺の粘膜下層を膨隆させる膨隆ステップと、
膨隆した前記病変部近傍の粘膜に挿入孔を開ける孔開けステップと、
前記挿入孔に前記処置具本体の先端のみを挿入する挿入ステップと、  
少なくとも前記処置具本体の先端部を湾曲させて、該先端部が前記消化管の表面と平行になるように湾曲角度を調整する調整ステップと、
前記処置具本体を前記消化管の表面に平行な方向に動かして前記挿入孔から前記粘膜下層内に押し込むと共に、処置具本体の先端位置を粘膜下層の所定位置に位置合わせする長さ調整ステップと、
前記膨張部に流体を供給して膨張させ、前記粘膜下層を剥離させる剥離ステップと、
前記挿入孔の周囲の粘膜を切開する切開ステップとを備えていることを特徴とする粘膜下層剥離方法。
【００７０】
〔付記項２〕
請求項１から７のいずれか１項に記載の粘膜下層剥離処置具を用いて、粘膜下層を局所的に剥離して消化管の病変部を切除する粘膜下層剥離方法であって、
前記病変部周辺の粘膜下層を膨隆させる膨隆ステップと、
膨隆した前記病変部近傍の粘膜に挿入孔を開ける孔開けステップと、
前記挿入孔の近傍に前記処置具本体の先端を位置させた後、少なくとも前記処置具本体の先端部を湾曲させて、該先端部が前記消化管の表面と平行になるように湾曲角度を調整する調整ステップと、
前記処置具本体を前記消化管の表面に平行な方向に動かして前記挿入孔から前記粘膜下層内に押し込むと共に、処置具本体の先端位置を粘膜下層の所定位置に位置合わせする長さ調整ステップと、
前記膨張部に流体を供給して膨張させ、前記粘膜下層を剥離させる剥離ステップと、
前記挿入孔の周囲の粘膜を切開する切開ステップとを備えていることを特徴とする粘膜下層剥離方法。
【００７１】
〔付記項３〕
付記項１又は２に記載の粘膜下層剥離方法において、
前記調整ステップは、少なくとも前記処置具本体の先端部を、該処置具本体の軸芯回りに回転させる回転ステップを備えていることを特徴とする粘膜下層剥離方法。
【図面の簡単な説明】
【００７２】
【図１】本発明に係る粘膜下層剥離処置具システムの第１実施形態の構成図である。
【図２】図１に示す粘膜下層剥離処置具システムの構成品であり、本発明に係る粘膜下層剥離処置具の構成図である。
【図３】図２に示す断面矢視Ａ−Ａ図である。
【図４】図３に示す断面矢視Ｂ−Ｂ図である。
【図５】図３に示す断面矢視Ｃ−Ｃ図である。
【図６】図２に示す粘膜下層剥離処置具を湾曲させた状態を示す図であり、（ａ）は操作ワイヤを引張り操作して上方向に湾曲させた状態を示し、（ｂ）は操作ワイヤを押し込みして下方向に湾曲させた状態を示す図である。
【図７】図２に示す粘膜下層剥離処置具の処置具本体にマーキングされた指標部を示す図である。
【図８】図１に示す粘膜下層剥離処置具システムの構成品である粘膜下局注針の断面図であり、（ａ）は針部が外チューブから突出した状態を示す図であり、（ｂ）は針部が内チューブ内に没入した状態を示す図である。
【図９】図１に示す粘膜下層剥離処置具システムにより病変部を切除する粘膜下層剥離方法の各工程を示す図であって、粘膜下局注針から局注液を注入して病変部を膨隆させた状態を示す図である。
【図１０】図１に示す粘膜下層剥離処置具システムにより病変部を切除する粘膜下層剥離方法の各工程を示す図であって、処置具チャンネル内に処置具本体を挿入させた後、挿入部の先端から処置具本体を突出させた状態を示す図である。
【図１１】図１０に示す断面矢視Ｄ−Ｄ図である。
【図１２】図１に示す粘膜下層剥離処置具システムにより病変部を切除する粘膜下層剥離方法の各工程を示す図であって、図１０に示す状態の後、病変部近傍の粘膜に高周波メスにより挿入孔を開けた状態を示す図である。
【図１３】図１に示す粘膜下層剥離処置具システムにより病変部を切除する粘膜下層剥離方法の各工程を示す図であって、図１２に示す状態の後、挿入孔内に処置具本体の先端部のみを挿入した状態を示す図である。
【図１４】図１に示す粘膜下層剥離処置具システムにより病変部を切除する粘膜下層剥離方法の各工程を示す図であって、図１３に示す状態の後、バルーン全体を含む処置具本体の先端側を上方向に湾曲させ、処置具本体を消化管の表面に平行な方向に調整した状態を示す図である。
【図１５】図１に示す粘膜下層剥離処置具システムにより病変部を切除する粘膜下層剥離方法の各工程を示す図であって、図１４に示す状態の後、処置具本体を粘膜下層内に挿入させた状態を示す図である。
【図１６】図１に示す粘膜下層剥離処置具システムにより病変部を切除する粘膜下層剥離方法の各工程を示す図であって、図１５に示す状態の後、バルーンを粘膜下層内で膨張させた状態を示す図である。
【図１７】図１に示す粘膜下層剥離処置具システムにより病変部を切除する粘膜下層剥離方法の各工程を示す図であって、図１６に示す状態の後、バルーンを収縮させると共に粘膜下層内から処置具本体を抜いた状態を示す図である。
【図１８】図１に示す粘膜下層剥離処置具システムにより病変部を切除する粘膜下層剥離方法の各工程を示す図であって、図１７に示す状態の後、再度挿入孔に高周波メスを挿入させた状態を示す図である。
【図１９】図１に示す粘膜下層剥離処置具システムにより病変部を切除する粘膜下層剥離方法の各工程を示す図であって、図１８に示す状態の後、高周波メスにより挿入孔の周囲の粘膜を切開した状態を示す図である。
【図２０】図１に示す粘膜下層剥離処置具システムにより病変部を切除する粘膜下層剥離方法の各工程を示す図であって、図１９に示す状態の後、再度挿入孔内から粘膜下層内に処置具本体を挿入した状態を示す図である。
【図２１】図１に示す粘膜下層剥離処置具システムにより病変部を切除する粘膜下層剥離方法の各工程を示す図であって、図２０に示す状態の後、再度バルーンを粘膜下層内で膨張させた状態を示す図である。
【図２２】図１に示す粘膜下層剥離処置具システムにより病変部を切除する粘膜下層剥離方法の各工程を示す図であって、図２１に示す状態の後、再度高周波メスにより挿入孔の周囲の粘膜を切開した状態を示す図である。
【図２３】図１に示す粘膜下層剥離処置具システムにより病変部を切除する粘膜下層剥離方法の各工程を示す図であって、図２２に示す状態の後、病変部を粘膜下層を含んだ状態で消化管から切除した状態を示す図である。
【図２４】本発明に係る粘膜下層剥離処置具の第２実施形態の構成図である。
【図２５】図２４に示す粘膜下層剥離処置具のバルーン周辺を拡大した断面図である。
【図２６】図２５に示す断面矢視Ｅ−Ｅ図である。
【図２７】図２４に示す粘膜下層剥離処置具を用いて病変部を切除する粘膜下層剥離方法の一工程を示す図であって、挿入孔の近傍で処置具本体を湾曲させると共に軸芯回りに回転させた状態示す図である。
【図２８】本発明に係る粘膜下層剥離処置具システムの他の例を示した構成図である。
【符号の説明】
【００７３】
Ｗ    粘膜下層
Ｘ    病変部
１    粘膜下層剥離処置具システム
２    処置具チャンネル（第１のチャンネル）
３    挿入部
４    内視鏡
５、５０    剥離バルーン（粘膜下層剥離処置具）
６    粘膜下局注針
１０    処置具本体
１１    管路（第１の管路）
１２    バルーン（膨張部）
１３    操作ワイヤ（ワイヤ）
１４    操作部
１５    板部材（湾曲補助部材）
２２    複数の連通孔（柔軟部）
３４    指標部
６１    処置具チャンネル（第２のチャンネル）
【図１】
2006333996.tif 000003
【図２】
2006333996.tif 000004
【図３】
2006333996.tif 000005
【図４】
2006333996.tif 000006
【図５】
2006333996.tif 000007
【図６】
2006333996.tif 000008
【図７】
2006333996.tif 000009
【図８】
2006333996.tif 000010
【図９】
2006333996.tif 000011
【図１０】
2006333996.tif 000012
【図１１】
2006333996.tif 000013
【図１２】
2006333996.tif 000014
【図１３】
2006333996.tif 000015
【図１４】
2006333996.tif 000016
【図１５】
2006333996.tif 000017
【図１６】
2006333996.tif 000018
【図１７】
2006333996.tif 000019
【図１８】
2006333996.tif 000020
【図１９】
2006333996.tif 000021
【図２０】
2006333996.tif 000022
【図２１】
2006333996.tif 000023
【図２２】
2006333996.tif 000024
【図２３】
2006333996.tif 000025
【図２４】
2006333996.tif 000026
【図２５】
2006333996.tif 000027
【図２６】
2006333996.tif 000028
【図２７】
2006333996.tif 000029
【図２８】
2006333996.tif 000030